(57)【要約】【課題】本発明は、クライアント装置側からネットワーク通信装置の各種設定を効率的にかつ適切に行うネットワーク通信装置及びクライアント装置に関する。【解決手段】ネットワークファクシミリ装置ＦＸは、ワークステーション装置ＷＳ１〜ＷＳｎからのＳＯＡＰを用いたＸＭＬデータによる各種設定項目の設定において、ワークステーション装置ＷＳ１〜ＷＳｎから設定項目の取得要求があると、当該設定項目取得要求に応じて各種設定項目の設定情報を返送するとともに、当該設定情報として、当該設定項目が設定変更許可されているか否かの設定変更可否情報をも返送する。したがって、ワークステーション装置ＷＳ１〜ＷＳｎで予め設定項目が設定可能であるか等の情報を取得して設定項目の設定操作を行うことができ、利用性を向上させることができる。【選択図】          図１
2005229403.tif 000002
【特許請求の範囲】
【請求項１】
所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、前記ネットワークを介してクライアント装置から受信した電子メールに含まれる画情報を前記回線を介して他のファクシミリ装置にファクシミリ送信するとともに、前記クライアント装置からのＳＯＡＰを用いたＸＭＬデータで、前記各種設定項目の設定内容の設定されるネットワーク通信装置であって、前記クライアント装置から前記設定項目の取得要求があると、当該設定項目取得要求に応じて前記設定項目の設定情報を当該クライアント装置に返送するとともに、当該設定情報として、当該設定項目が設定変更許可されているか否かの設定変更可否情報をも返送することを特徴とするネットワーク通信装置。
【請求項２】
前記ネットワーク通信装置は、前記クライアント装置への前記設定変更可否情報の返送を、前記設定項目の取得要求のあったとき、または、前記設定項目のプロパティ情報の取得要求のあったときに行うことを特徴とする請求項１記載のネットワーク通信装置。
【請求項３】
前記ネットワーク通信装置は、前記設定情報として、アクセス権限に対応した設定範囲、全ての項目に対する変更可否、項目毎の設定変更可否及び設定範囲、設定変更条件等のユーザインターフェイスの構築に必要な情報を前記クライアント装置に通知することを特徴とする請求項１または請求項２記載のネットワーク通信装置。
【請求項４】
前記ネットワーク通信装置は、前記クライアント装置からの前記設定項目の設定を指定するＸＭＬデータの各設定項目毎の設定内容が、当該設定項目の予め許容されている設定許容範囲を超えていると、当該設定項目への設定処理を中止し、設定エラーである旨を通知出力することを特徴とする請求項１から請求項３のいずれかに記載のネットワーク通信装置。
【請求項５】
所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、前記ネットワークを介して受信した電子メールに含まれる画情報を前記回線を介して他のファクシミリ装置にファクシミリ送信するネットワーク通信装置に対して、ＳＯＡＰを用いたＸＭＬデータで、当該ネットワーク通信装置の前記各種設定項目の設定内容を設定するクライアント装置であって、前記ネットワーク通信装置に対して前記設定項目の取得要求を行って、当該設定項目取得要求に応じて当該ネットワーク通信装置から前記設定項目の設定情報が返送されてくると、当該設定項目の設定情報に基づいて、設定画面を作成表示して当該設定画面での設定操作に応じた設定要求を前記ネットワーク通信装置に送信するとともに、前記設定項目の設定変更許可の有無を示す設定変更可否情報に設定変更不可となっている設定項目に対しては、前記設定画面への当該設定項目の表示を非表示とし、また、当該設定項目の設定情報に設定許容範囲が規定されていると、前記設定画面での設定可能範囲を当該設定許容範囲に規制することを特徴とするクライアント装置。
【請求項６】
前記クライアント装置は、前記設定画面での設定内容が、前記設定許容範囲を超えていると、当該設定項目への設定処理を中止し、設定エラーである旨を前記設定画面に出力することを特徴とする請求項５記載のクライアント装置。
【発明の詳細な説明】
【技術分野】
【０００１】
本発明は、ネットワーク通信装置及びクライアント装置に関し、詳細には、クライアント装置側からネットワーク通信装置の各種設定を行う場合に、クライアント装置側で設定できる設定項目と閲覧のみできる設定項目の双方の情報を、予めネットワーク通信装置からクライアント装置に通知して、効率的にかつ適切な設定を行うネットワーク通信装置及びクライアント装置に関する。
【背景技術】
【０００２】
ファクシミリ装置等の通信装置においては、各種設定項目の設定内容に応じて動作処理を行っている。
【０００３】
また、従来からホストコンピュータ等のクライアント装置をネットワーク等を介して通信装置に接続して、クライアント装置の搭載するアプリケーションソフトウェアによって、通信装置の前まで行くことなく、クライアント装置上のディスプレイに、通信装置の設定状態を表示する技術も提案されている。
【０００４】
そして、従来、通信装置等の機器の設定をブラウザ等のクライアント側から行う技術が提案されている（特許文献１及び特許文献２参照）。
【０００５】
こられらの従来技術は、ホストコンピュータ等のクライアント装置に搭載されているアプリケーションが、その動作モードとして、クライアント装置側から設定ができる管理者モードと閲覧のみができるユーザモードの２つのモードのみを有している。
【０００６】
【特許文献１】特開２００２−７０９５号公報
【特許文献２】特開２０００−９２２６２号公報
【発明の開示】
【発明が解決しようとする課題】
【０００７】
しかしながら、上記従来技術にあっては、クライアント装置に搭載されるアプリケーションの動作モードが、クライアント装置側から設定ができる管理者モードと閲覧のみができるユーザモードの２つのモードのみであるため、閲覧用の項目ページと設定用の項目ページと分かれてしまい、１つのページに混在して扱うことができず、設定できない項目＝閲覧もできない項目としてしか扱うことができず、利用性が悪いという問題があった。
【０００８】
そこで、請求項１記載の発明は、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、ネットワークを介してクライアント装置から受信した電子メールに含まれる画情報を回線を介して他のファクシミリ装置にファクシミリ送信するとともに、クライアント装置からのＳＯＡＰを用いたＸＭＬデータで、各種設定項目の設定内容の設定されるに際して、クライアント装置から設定項目の取得要求があると、当該設定項目取得要求に応じて設定項目の設定情報を当該クライアント装置に返送するとともに、当該設定情報として、当該設定項目が設定変更許可されているか否かの設定変更可否情報をも返送することにより、クライアント装置で予め設定項目が設定可能であるか等の情報を取得して設定項目の設定操作ができるようにし、利用性の良好なネットワーク通信装置を提供することを目的としている。
【０００９】
請求項２記載の発明は、クライアント装置への設定変更可否情報の返送を、設定項目の取得要求のあったとき、または、設定項目のプロパティ情報の取得要求のあったときに行うことにより、予め設定項目の情報を取得することができるようにして、クライアント装置で設定項目毎の細かい制御ができるようにし、より一層利用性の良好なネットワーク通信装置を提供することを目的としている。
【００１０】
請求項３記載の発明は、設定情報として、アクセス権限に対応した設定範囲、全ての項目に対する変更可否、項目毎の設定変更可否及び設定範囲、設定変更条件等のユーザインターフェイスの構築に必要な情報をクライアント装置に通知することにより、クライアント装置で、閲覧できるが設定できない等の設定項目毎の細かい制御を設定値の入力用のユーザインターフェースに予め反映させ、より一層利用性の良好なネットワーク通信装置を提供することを目的としている。
【００１１】
請求項４記載の発明は、クライアント装置からの設定項目の設定を指定するＸＭＬデータの各設定項目毎の設定内容が、当該設定項目の予め許容されている設定許容範囲を超えていると、当該設定項目への設定処理を中止し、設定エラーである旨を通知出力することにより、設定項目の設定をより一層適切に行い、また、設定許容範囲のチェックをネットワーク通信装置でのみ行うようにすると、処理を効率的に行うことのできるネットワーク通信装置を提供することを目的としている。
【００１２】
請求項５記載の発明は、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、ネットワークを介して受信した電子メールに含まれる画情報を回線を介して他のファクシミリ装置にファクシミリ送信するネットワーク通信装置に対して、ＳＯＡＰを用いたＸＭＬデータで、当該ネットワーク通信装置の各種設定項目の設定内容を設定するに際して、ネットワーク通信装置に対して設定項目の取得要求を行って、当該設定項目取得要求に応じて当該ネットワーク通信装置から設定項目の設定情報が返送されてくると、当該設定項目の設定情報に基づいて、設定画面を作成表示して当該設定画面での設定操作に応じた設定要求をネットワーク通信装置に送信するとともに、設定項目の設定変更許可の有無を示す設定変更可否情報に設定変更不可となっている設定項目に対しては、設定画面への当該設定項目の表示を非表示とし、また、当該設定項目の設定情報に設定許容範囲が規定されていると、設定画面での設定可能範囲を当該設定許容範囲に規制することにより、予め設定項目が設定可能であるか等の設定項目の細かい設定操作ができるようにし、利用性の良好なクライアント装置を提供することを目的としている。
【００１３】
請求項６記載の発明は、設定画面での設定内容が、設定許容範囲を超えていると、当該設定項目への設定処理を中止し、設定エラーである旨を設定画面に出力することにより、設定項目の設定をより一層適切に行うことのできるクライアント装置を提供することを目的としている。
【課題を解決するための手段】
【００１４】
請求項１記載の発明のネットワーク通信装置は、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、前記ネットワークを介してクライアント装置から受信した電子メールに含まれる画情報を前記回線を介して他のファクシミリ装置にファクシミリ送信するとともに、前記クライアント装置からのＳＯＡＰを用いたＸＭＬデータで、前記各種設定項目の設定内容の設定されるネットワーク通信装置であって、前記クライアント装置から前記設定項目の取得要求があると、当該設定項目取得要求に応じて前記設定項目の設定情報を当該クライアント装置に返送するとともに、当該設定情報として、当該設定項目が設定変更許可されているか否かの設定変更可否情報をも返送することにより、上記目的を達成している。
【００１５】
この場合、例えば、請求項２に記載するように、前記ネットワーク通信装置は、前記クライアント装置への前記設定変更可否情報の返送を、前記設定項目の取得要求のあったとき、または、前記設定項目のプロパティ情報の取得要求のあったときに行うものであってもよい。
【００１６】
また、例えば、請求項３に記載するように、前記ネットワーク通信装置は、前記設定情報として、アクセス権限に対応した設定範囲、全ての項目に対する変更可否、項目毎の設定変更可否及び設定範囲、設定変更条件等のユーザインターフェイスの構築に必要な情報を前記クライアント装置に通知するものであってもよい。
【００１７】
さらに、例えば、請求項４に記載するように、前記ネットワーク通信装置は、前記クライアント装置からの前記設定項目の設定を指定するＸＭＬデータの各設定項目毎の設定内容が、当該設定項目の予め許容されている設定許容範囲を超えていると、当該設定項目への設定処理を中止し、設定エラーである旨を通知出力するものであってもよい。
【００１８】
請求項５記載の発明のクライアント装置は、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、前記ネットワークを介して受信した電子メールに含まれる画情報を前記回線を介して他のファクシミリ装置にファクシミリ送信するネットワーク通信装置に対して、ＳＯＡＰを用いたＸＭＬデータで、当該ネットワーク通信装置の前記各種設定項目の設定内容を設定するクライアント装置であって、前記ネットワーク通信装置に対して前記設定項目の取得要求を行って、当該設定項目取得要求に応じて当該ネットワーク通信装置から前記設定項目の設定情報が返送されてくると、当該設定項目の設定情報に基づいて、設定画面を作成表示して当該設定画面での設定操作に応じた設定要求を前記ネットワーク通信装置に送信するとともに、前記設定項目の設定変更許可の有無を示す設定変更可否情報に設定変更不可となっている設定項目に対しては、前記設定画面への当該設定項目の表示を非表示とし、また、当該設定項目の設定情報に設定許容範囲が規定されていると、前記設定画面での設定可能範囲を当該設定許容範囲に規制することにより、上記目的を達成している。
【００１９】
この場合、例えば、請求項６に記載するように、前記クライアント装置は、前記設定画面での設定内容が、前記設定許容範囲を超えていると、当該設定項目への設定処理を中止し、設定エラーである旨を前記設定画面に出力するものであってもよい。
【発明の効果】
【００２０】
請求項１記載の発明のネットワーク通信装置によれば、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、ネットワークを介してクライアント装置から受信した電子メールに含まれる画情報を回線を介して他のファクシミリ装置にファクシミリ送信するとともに、クライアント装置からのＳＯＡＰを用いたＸＭＬデータで、各種設定項目の設定内容の設定されるに際して、クライアント装置から設定項目の取得要求があると、当該設定項目取得要求に応じて設定項目の設定情報を当該クライアント装置に返送するとともに、当該設定情報として、当該設定項目が設定変更許可されているか否かの設定変更可否情報をも返送するので、クライアント装置で予め設定項目が設定可能であるか等の情報を取得して設定項目の設定操作ができるようにすることができ、利用性を向上させることができる。
【００２１】
請求項２記載の発明のネットワーク通信装置によれば、クライアント装置への設定変更可否情報の返送を、設定項目の取得要求のあったとき、または、設定項目のプロパティ情報の取得要求のあったときに行うので、予め設定項目の情報を取得することができるようにして、クライアント装置で設定項目毎の細かい制御ができるようにすることができ、より一層利用性を向上させることができる。
【００２２】
請求項３記載の発明のネットワーク通信装置によれば、設定情報として、アクセス権限に対応した設定範囲、全ての項目に対する変更可否、項目毎の設定変更可否及び設定範囲、設定変更条件等のユーザインターフェイスの構築に必要な情報をクライアント装置に通知するので、クライアント装置で、閲覧できるが設定できない等の設定項目毎の細かい制御を設定値の入力用のユーザインターフェースに予め反映させることができ、より一層利用性を向上させることができる。
【００２３】
請求項４記載の発明のネットワーク通信装置によれば、クライアント装置からの設定項目の設定を指定するＸＭＬデータの各設定項目毎の設定内容が、当該設定項目の予め許容されている設定許容範囲を超えていると、当該設定項目への設定処理を中止し、設定エラーである旨を通知出力するので、設定項目の設定をより一層適切に行うことができ、また、設定許容範囲のチェックをネットワーク通信装置でのみ行うようにすると、処理を効率的に行うことができる。
【００２４】
請求項５記載の発明のクライアント装置によれば、所定のネットワーク上でデータの授受を行うネットワーク機能と、回線を介して所定のファクシミリ伝送手順でファクシミリデータの授受を行うファクシミリ機能と、を備え、各種設定項目の設定内容に応じて、ネットワークを介して受信した電子メールに含まれる画情報を回線を介して他のファクシミリ装置にファクシミリ送信するネットワーク通信装置に対して、ＳＯＡＰを用いたＸＭＬデータで、当該ネットワーク通信装置の各種設定項目の設定内容を設定するに際して、ネットワーク通信装置に対して設定項目の取得要求を行って、当該設定項目取得要求に応じて当該ネットワーク通信装置から設定項目の設定情報が返送されてくると、当該設定項目の設定情報に基づいて、設定画面を作成表示して当該設定画面での設定操作に応じた設定要求をネットワーク通信装置に送信するとともに、設定項目の設定変更許可の有無を示す設定変更可否情報に設定変更不可となっている設定項目に対しては、設定画面への当該設定項目の表示を非表示とし、また、当該設定項目の設定情報に設定許容範囲が規定されていると、設定画面での設定可能範囲を当該設定許容範囲に規制するので、予め設定項目が設定可能であるか等の設定項目の細かい設定操作ができるようにすることができ、利用性を向上させることができる。
【００２５】
請求項６記載の発明のクライアント装置によれば、設定画面での設定内容が、設定許容範囲を超えていると、当該設定項目への設定処理を中止し、設定エラーである旨を設定画面に出力するので、設定項目の設定をより一層適切に行うことができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２７】
図１〜図７は、本発明のネットワーク通信装置及びクライアント装置の一実施例を示す図であり、図１は、本発明のネットワーク通信装置及びクライアント装置の一実施例を適用したネットワークファクシミリ装置ＦＸ及びワークステーション装置ＷＳ１〜ＷＳｎの適用されるネットワークシステム１のシステムブロック構成図である。
【００２８】
図１において、ネットワークシステム１は、所定のネットワークＮＷ、例えば、ＬＡＮ（ローカルエリアネットワーク：Local Area Network）にクライアント装置としての複数のワークステーション装置ＷＳ１〜ＷＳｎ、メールサーバ装置ＳＭ及びネットワーク通信装置としてのネットワークファクシミリ装置ＦＸ等が接続されており、ネットワークＮＷは、ルータ装置ＲＴによりインターネットに接続されて、他のネットワークに接続されているクライアント装置との間で種々のデータのやり取りを行う。
【００２９】
メールサーバ装置ＳＭは、ネットワークＮＷに接続されているワークステーション装置ＷＳ１〜ＷＳｎを利用するユーザ及びネットワークファクシミリ装置ＦＸに対して電子メールの収集、配信サービスを提供する。
【００３０】
ワークステーション装置ＷＳ１〜ＷＳｎは、ネットワークＮＷを介して種々のデータのやり取りを行うアプリケーションソフトウェア（電子メールアクセス等）やネットワークファクシミリ装置ＦＸから受信した電子メールに含まれる画情報を処理するアプリケーションソフトウェア（ビューワ等）等の種々のプログラム、特に、ネットワークファクシミリ装置ＦＸの各種設定項目の設定を行うクライアントソフトウェアを搭載しており、１人または複数の特定のユーザにより使用される。
【００３１】
また、ネットワークファクシミリ装置ＦＸは、ネットワークＮＷに接続されているとともに、公衆網（ＰＳＴＮ）に接続されており、ネットワークＮＷを利用した電子メールの送受信機能（ネットワーク機能）を備えているとともに、接続されている公衆網（ＰＳＴＮ）を伝送路として用いてグループ３（Ｇ３）のファクシミリ伝送手順による画情報伝送を行う伝送機能（ファクシミリ機能）を備えている。
【００３２】
ネットワークシステム１では、ネットワークＮＷに接続されている端末相互間でのデータのやり取りを、ＴＣＰ／ＩＰというトランスポートレイヤまでの伝送プロトコルとそれ以上の上位レイヤの通信プロトコルの組み合わせを用いて行われ、例えば、電子メールの送信では、上位レイヤの通信プロトコルとして、ＳＭＴＰ（Simple Mail Transport Protocol）という通信プロトコルを使用して行われる。
【００３３】
ネットワークシステム１では、電子メールをメールサーバ装置ＳＭに一旦蓄積した後に配信され、例えば、ネットワークファクシミリ装置ＦＸが公衆網（ＰＳＴＮ）を介して受信したワークステーション装置ＷＳ１のユーザへの電子メールは、メールサーバ装置ＳＭに一旦蓄積する。
【００３４】
ワークステーション装置ＷＳ１〜ＷＳｎ及びネットワークファクシミリ装置ＦＸは、適当な周期でメールサーバ装置ＳＭに対して、自端末のユーザ宛の電子メールの受信の問い合わせを行い、ユーザ宛の電子メールがメールサーバ装置ＳＭに蓄積されているときは、メールサーバ装置ＳＭから蓄積されている電子メールを受信して、自端末のユーザにその旨を通知する。例えば、ワークステーション装置ＷＳ１は、メールサーバ装置ＳＭに対して、自端末のユーザ宛の電子メール受信の問い合わせを行った場合に、自端末のユーザ宛の電子メールがメールサーバ装置ＳＭに蓄積されていると、その旨がメールサーバ装置ＳＭから通知され、その電子メールを受信して、電子メールを受信した旨をユーザに通知する。通知を受け取ったユーザは、その電子メールの内容を読み出して内容を確認することができる。この場合の通信プロトコルとしては、例えば、ＰＯＰ（Post Office Protocol）等を用いることができる。
【００３５】
また、ネットワークシステム１では、ワークステーション装置ＷＳ１〜ＷＳｎは、ネットワークファクシミリ装置ＦＸに対して、公衆網（ＰＳＴＮ）に接続された他のファクシミリ装置等の通信装置への画情報の中継送信依頼を行うことができ、この中継依頼画情報の送信には、電子メールが適用される。また、ネットワークシステム１は、ネットワークＮＷが、ルータ装置ＲＴによりインターネットに接続されているため、インターネットに接続されている他のワークステーション装置等のユーザが、ネットワークファクシミリ装置ＦＸに対して画情報の中継送信依頼を行うことができる。この電子メールは、ＭＩＭＥ（Multipurpose Internet Mail Extension）形式であり、画情報としては、Ｂａｓｅ６４符号化形式で符号化した後の画情報がセットされる。
【００３６】
なお、インターネットを利用した通信では、ＨＴＴＰ（Hyper Text Transfer Protocol）が用いられ、ＨＴＴＰは、ＷＷＷ（World Wide Web）を実現するためのプロトコルであって、通常、ＴＣＰ（（Transmission Control Protocol ）上（ポート番号：８０）でやりとりされる。
【００３７】
ＨＴＴＰは、ＧＥＴやＰＯＳＴ等のコマンドによりブラウザがサーバに対して処理を指定し、そのレスポンスとして、ＨＴＭＬ（Hyper Text Markup Language）ファイルや画像ファイル等がサーバから送られてくる。ＨＴＴＰには、プロトコルとしてのバージョンがあり、最新のバージョンは、１．１（ＲＦＣ２６１６）であるが、多くのブラウザは、１．０（ＲＦＣ１９４５）にのみ対応しているのが現状である。このＨＴＴＰの最新バージョンの１．１では、コマンド、レスポンス自体及びフォーマット等に多くの拡張が行われており、ワークステーション装置にインストールされているブラウザソフトにより閲覧することができる。
【００３８】
また、近年、言語として、ＨＴＭＬだけでなく、ＨＴＭＬと同様に、ＳＧＭＬ（Standard Generalized Markup Language）から派生したＸＭＬ（eXtensible Markup Language）が用いられるようになってきており、このＸＭＬは、Ｗ３Ｃ（World Wide Web Consortium）の勧告（Recommendation ）でＳＧＭＬを簡略化したもので、任意のタグを使用することができること及びデータと処理（レイアウト：デザイン）を分離して記述できることをその特徴としている。
【００３９】
そして、このＸＭＬをベースとしたメッセージ交換のためのプロトコル仕様として、ＳＯＡＰ（Simple Object Access Protocol ）が出現しており、ＳＯＡＰは、ＲＰＣ（リモートプロシージャーコール）やメッセージング機能を実現するためのＷ３Ｃ仕様である。このＳＯＡＰは、プッラットフォームに依存しないため、ＨＴＴＰやＦＴＰ上で動作を行い、Ｗｅｂサービスに使用されるプロトコルである。
【００４０】
そして、ネットワークファクシミリ装置ＦＸは、上述のように、ネットワークＮＷ上でのデータのやり取りの機能と、公衆回線を介して行われるファクシミリ伝送手順によるファクシミリデータのやり取りの機能とを備えているとともに、ネットワークＮＷを介して受信した電子メールに含まれる画情報を公衆網の他のファクシミリ装置へ送信する機能を有しており、図２に示すようにブロック構成されている。
【００４１】
図２において、ネットワークファクシミリ装置ＦＸは、システム制御部１１、システムメモリ１２、パラメータメモリ１３、時計回路１４、スキャナ１５、プロッタ１６、網制御部１７、Ｇ３ＦＡＸモデム１８、ＬＡＮ伝送制御部１９、ＬＡＮＩ／Ｆ２０、画像蓄積部２１、符号化・復号化部２２及び操作表示部２３等を備えており、主要各部は、バス２４に接続されている。
【００４２】
システムメモリ１２は、ネットワークファクシミリ装置ＦＸのシステムプログラム及びシステムプログラムを実行するのに必要な各種データ等を記憶するとともに、システム制御部１１のワークメモリとして利用される。
【００４３】
システム制御部１１は、システムメモリ１２に格納されているシステムプログラムに基づいて、システムメモリ１２をワークメモリとして利用しつつ、ネットワークファクシミリ装置ＦＸの各部を制御し、ファクシミリ伝送制御手順等の各種制御処理等のネットワークファクシミリ装置ＦＸとしての基本処理を実行するとともに、後述するバックアップ送信処理を実行する。
【００４４】
パラメータメモリ１３は、読み／書き可能な不揮発性メモリで構成され、停電やネットワークファクシミリ装置ＦＸの電源がオフされているときにも、パラメータメモリ１３内の各情報が保持されるように、バッテリーバックアップされている。パラメータメモリ１３は、メモリ送信の送信先電話番号、ワンタッチダイヤル及び短縮ダイヤルに対応付けられた送信先電話番号や送信先名称等のダイヤル情報、自己局の電話番号、名称等の自局情報び読取濃度情報や記録濃度情報等及びその他のネットワークファクシミリ装置ＦＸの各種機能を適切に発揮させるために設定された各種機能設定情報を記憶するとともに、ネットワークファクシミリ装置ＦＸとともにネットワークＮＷに接続されているワークステーション装置ＷＳ１〜ＷＳｎやメールサーバ装置ＳＭのメールアドレス及びファクシミリ通信を行った際の各種通信管理情報等を記憶する。
【００４５】
時計回路１４は、発振回路や分周回路等を備え、現在時刻を計時するとともに、ネットワークファクシミリ装置ＦＸの動作に必要な各種クロックを発生する。
【００４６】
スキャナ１５は、例えば、ＣＣＤ(Charge Coupled Device）を利用したラインイメージセンサ等が用いられており、一般にＡＤＦを備えている。ＡＤＦには、複数枚の原稿がセットされ、ＡＤＦは、セットされた原稿を１枚ずつスキャナ１５の原稿読取位置に送給する。スキャナ１５は、ＡＤＦから搬送されてきた原稿を走査し、原稿の画像を所定の解像度で読み取る。
【００４７】
プロッタ１６は、例えば、電子写真式記録装置、あるいは、インク噴射式記録装置等が用いられており、プロッタ１６は、１種類あるいは複数種類の所定の記録紙サイズのカット記録紙をセット可能な記録紙カセットを備えている。プロッタ１６は、記録紙カセットから供給される記録紙に、受信画像、スキャナ１５で読み取られた原稿の画像等を記録出力するとともに、必要なレポートを記録紙に記録出力する。
【００４８】
網制御部１７には、上記公衆網が接続されており、網制御部１７は、システム制御部１１の制御下で動作して、公衆網からの発呼に対して自動着呼し、また、公衆網への自動発呼処理を行う。
【００４９】
Ｇ３ＦＡＸモデム１８は、システム制御部１１の制御下で動作して、グループ３ファクシミリのモデム機能を実現する。
【００５０】
ＬＡＮＩ／Ｆ２０は、ネットワークファクシミリ装置ＦＸをＬＡＮであるネットワークＮＷに接続し、ＬＡＮ伝送制御部１９は、ネットワークＮＷを介して当該ネットワークＮＷに接続された他のデータ端末装置であるワークステーション装置ＷＳ１〜ＷＳｎやメールサーバ装置ＳＭとの間で種々のデータをやり取りするための各種所定のプロトコルの通信制御処理（電子メール送受信処理等）を実行する。
【００５１】
画像蓄積部２１は、例えば、ＲＡＭあるいはハードディスク等で構成され、主に符号化・復号化部２２で符号化された受信画情報や送信画情報等を複数記憶する。
【００５２】
符号化・復号化部２２は、画情報の画像蓄積部２１への蓄積の効率化及び伝送時間の短縮化を図るためのものであり、所定の符号化方式に従って画情報を符号化し、また、符号化された画情報を復号化する。
【００５３】
操作表示部２３は、テンキーやスタートキー等の操作キー及び各種ファンクションキー等を備えるとともに、表示手段としてのディスプレイ、例えば、液晶ディスプレイ等を備えている。操作表示部２３の操作キーからは、送信操作等の各種命令が入力され、ディスプレイには、操作キーから入力された命令内容や操作内容及びネットワークファクシミリ装置ＦＸからオペレータに通知する各種情報を表示する。
【００５４】
上記システム制御部１１、システムメモリ１２、パラメータメモリ１３、時計回路１４、スキャナ１５、プロッタ１６、操作表示部２３、符号化・復号化部２２、画像蓄積部２１、Ｇ３ＦＡＸモデム１８、網制御部１７、ＬＡＮ伝送制御部１９は、上述のように、内部バス２４に接続され、ネットワークファクシミリ装置ＦＸは、これらの各部間でのデータのやり取りを、主として内部バス２４を介して行う。また、ネットワークファクシミリ装置ＦＸは、網制御部１７とＧ３ＦＡＸモデム１８との間のデータのやりとりを直接行う。
【００５５】
次に、本実施例の作用を説明する。本実施例のネットワークシステム１は、ネットワークファクシミリ装置ＦＸの各種設定項目の設定が、ワークステーション装置ＷＳ１〜ＷＳｎのＷｅｂプラウザ等のクライアントソフトウェアから可能であり、当該設定を適切かつ効率的に行う。
【００５６】
まず、ネットワークファクシミリ装置ＦＸとワークステーション装置ＷＳ１〜ＷＳｎとの間の機器設定シーケンスについて、図３に基づいて説明する。
【００５７】
クライアント装置のクライアントソフトウェアによるネットワークファクシミリ装置ＦＸの各種設定項目の設定処理は、図３に示すように、ワークステーション装置ＷＳ１〜ＷＳｎでの設定画面の作成処理と設定の実行処理で行われ、ネットワークファクシミリ装置ＦＸ側での設定値のレンジ情報の提供処理、設定値の取得処理及び設定値の設定処理で行われる。
【００５８】
すなわち、まず、クライアント側は、ＳＯＡＰリクエストで設定値のプロパティ情報の取得と設定値の取得を行い、現在設定されている値を取得する。この段階で、設定値のプロパティレンジ情報に基づいてユーザインターフェイス画面を生成する。そして、設定のリクエストがあると、設定値をＳＯＡＰのメソッドでネットワークファクシミリ装置ＦＸに書き込む。
【００５９】
上記処理を、図４に示すフローチャートに基づいて、説明する。ワークステーション装置ＷＳ１〜ＷＳｎのクライアントソフトウェアは、設定画面が開かれると、ＳＯＡＰでネットワークファクシミリ装置ＦＸに対して設定画面作成のリクエストを行い（ステップＳ１０１）、設定項目のプロパティ情報の取得を行う（ステップＳ１０２）。
【００６０】
ネットワークファクシミリ装置ＦＸは、この設定項目のプロパティ情報（設定情報）を、ＸＭＬファイル形式に変換して、ワークステーション装置ＷＳ１〜ＷＳｎに送信し、このＸＭＬファイル形式の設定項目のプロパティ情報としては、例えば、以下のようなものがある。
【００６１】
プロパティ情報（ＸＭＬファイルデータ）の例：
<?xml version="1.0" encoding="Shift_JIS" ?>
<param>
<item>
<propName>印字用名称</propName>
<propVal>ABCDE</propVal>
</item>
<item>
<propName>表示用名称</propName>
<propVal>aaaaa</propVal>
</item>
<item>
<propName>ファクス番号</propName>
<propVal>123456789</propVal>
</item>
<item>
<propName>ダイヤルイン機能</propName>
<propVal>On</propVal>
</item>
<item>
<propName>封筒機能</propName>
<propVal>On</propVal>
</item>
</param>
そして、ワークステーション装置ＷＳ１〜ＷＳｎのクライアントソフトウェアは、設定項目のプロパティ情報の取得を行うと、当該取得した設定項目のプロパティ情報の解析を行って必要な情報を書き出し（ステップＳ１０３）、書込許可を示すＸＭＬタグがあった場合には、当該ＸＭＬタグの内容が「ＯＫ」、「ＮＧ」、「ＮＯＮＥ」のいずれであるかを設定項目毎にチェックする（ステップＳ１０４）。
【００６２】
この場合、ワークステーション装置ＷＳ１〜ＷＳｎでは、事前に設定項目のプロパティ情報を取得することができるので、そのプロパティ情報を利用して項目毎に制御することができる。
【００６３】
このプロパティ情報のＸＭＬフォーマットとしては、値の取得時であれば、以下のように、項目毎に、＜write＞（書込）を許可するかどうかを示すタグを設けて伝える。例えば、「ＯＫ」であれば、設定画面を作成する時に、項目を表示し、「ＮＧ」であれば、設定できないが情報のみを閲覧可能とし、「ＮＯＮＥ」であれば、閲覧情報も表示しないようにする。
【００６４】
ＸＭＬデータの例：
<?xml version="1.0" encoding="UTF-8" ?>
<s:Envelope xmlns:s="http://schemas.xmlsoap.org/soap/envelope/" s:encodingStyle="http://schemas.xmlsoap.org/soap/encoding/">
<s:Body>
<dc:getDevicePropertyResponse xmlns:dc="http://www.abcde.co.jp/xmlns/soap/rdh/devicemanagement">
<returnValue xmlns:soap-enc="http://schemas.xmlsoap.org/soap/encoding/" xmlns:itt="http://www.abcde.co.jp/xmlns/schema/rdh/commontypes" soap-enc:arrayType="itt:property[17]">
<item>
<propName>FAX_TTI_1</propName>
<propVal>TEST</propVal>
<write>OK</write>
</item>
<item>
<propName>FAX_USER_RXMODE_KEY</propName>
<propVal>Auto reception</propVal>
<write>NG</write>
</item>
<item>
<propName>FAX_ECM</propName>
<propVal>On</propVal>
<write>NONE</write>
</item>
・
・
・
・
</returnValue>
</dc:getDevicePropertyResponse>
</s:Body>
</s:Envelope>
なお、事前にプロパティー情報を利用するようにするためには、以下のＸＭＬデータで実現することができる。
【００６５】
ＸＭＬデータの例：
<?xml version="1.0" encoding="UTF-8" ?>
<s:Envelope xmlns:s="http://schemas.xmlsoap.org/soap/envelope/" s:encodingStyle="http://schemas.xmlsoap.org/soap/encoding/">
<s:Body>
<dc:getDevicePropertyRangeResponse xmlns:dc="http://www.abcde.co.jp/xmlns/soap/rdh/devicemanagement">
<returnValue xmlns:soap-enc="http://schemas.xmlsoap.org/soap/encoding/" xmlns:itt="http://www.abcde.co.jp/xmlns/schema/rdh/commontypes" soap-enc:arrayType="itt:propertyRange[17]">
<item>
<propName>FAX_TTI_1</propName>
<propVal></propVal>
<rangeType>PROPRANGE_STRING</rangeType>
<min></min>
<max>32</max>
<propValStep></propValStep>
<propValEnum xmlns:soap-enc="http://schemas.xmlsoap.org/soap/encoding/" xmlns:itt="http://www.w3.org/2001/XMLSchema" soap-enc:arrayType="itt:string[0]"></propValEnum>
<write>NG</write>
</item>
<item>
<propName>FAX_USER_RXMODE_KEY</propName>
<propVal></propVal>
<rangeType>PROPRANGE_ENUM</rangeType>
<min></min>
<max></max>
<propValStep></propValStep>
<propValEnum xmlns:soap-enc="http://schemas.xmlsoap.org/soap/encoding/" xmlns:itt="http://www.w3.org/2001/XMLSchema" soap-enc:arrayType="itt:string[2]">
<item>Manual reception</item>
<item>Auto reception</item>
</propValEnum>
<write>OK</write>
</item>
・
・
・
・
</returnValue>
</dc:getDevicePropertyRangeResponse>
</s:Body>
</s:Envelope>
そして、ワークステーション装置ＷＳ１〜ＷＳｎは、ステップＳ１０４で、例えば、Switch Recipition Modeの項目が「ＯＫ」であると、図５に示すように、設定画面として、当該項目を書込可能な項目欄として表示する設定画面を表示させ、書込を許可する（ステップＳ１０５）。
【００６６】
また、ワークステーション装置ＷＳ１〜ＷＳｎは、ステップＳ１０４で、例えば、Switch Recipition Modeの項目が「ＮＧ」であると、図６に示すように、当該項目を書込設定は不可であるが閲覧のみ可能な項目欄として表示する設定画面を表示させ（ステップＳ１０６）、ステップＳ１０４で、例えば、Switch Recipition Modeの項目が「ＮＯＮＥ」であると、図７に示すように、当該項目自体を表示しない設定画面を表示させる（ステップＳ１０７）。
【００６７】
そして、ワークステーション装置ＷＳ１〜ＷＳｎは、設定画面の表示設定を行うと、次に、ＸＭＬファイル形式のプロパティ情報にレンジ情報があるかチェックし（ステップＳ１０８）、レンジ情報があると、当該レンジ情報を入力制限の値に設定して、ユーザインターフェイスのエディットボックス内の最大入力可能桁数の制御等の設定を行う（ステップＳ１０９）。
【００６８】
例えば、上記プロパティ情報に対してレスポンスデータを、以下に示すように作成する。例えば、設定項目「FAX_TTI_1」の場合、タイプが「PROPRANGE_STRING」（文字列型）で、<max>で示される最大桁数として、32桁以内に設定し、また、項目「FAX_USER_RXMODE_KEY」の場合、そのタイプが「PROPRANGE_ENUM」（列挙型）で、取りうる値の候補として<propValEnum>の中の<item>内に定義する。
【００６９】
ＸＭＬデータの例：
<?xml version="1.0" encoding="UTF-8" ?>
<s:Envelope xmlns:s="http://schemas.xmlsoap.org/soap/envelope/" s:encodingStyle="http://schemas.xmlsoap.org/soap/encoding/">
<s:Body>
<dc:getDevicePropertyRangeResponse xmlns:dc="http://www.abcde.co.jp/xmlns/soap/rdh/devicemanagement">
<returnValue xmlns:soap-enc="http://schemas.xmlsoap.org/soap/encoding/" xmlns:itt="http://www.abcde.co.jp/xmlns/schema/rdh/commontypes" soap-enc:arrayType="itt:propertyRange[17]">
<item>
<propName>FAX_TTI_1</propName>
<propVal></propVal>
<rangeType>PROPRANGE_STRING</rangeType>
<min></min>
<max>32</max>
<propValStep></propValStep>
<propValEnum xmlns:soap-enc="http://schemas.xmlsoap.org/soap/encoding/" xmlns:itt="http://www.w3.org/2001/XMLSchema" soap-enc:arrayType="itt:string[0]"></propValEnum>
</item>
<item>
<propName>FAX_USER_RXMODE_KEY</propName>
<propVal></propVal>
<rangeType>PROPRANGE_ENUM</rangeType>
<min></min>
<max></max>
<propValStep></propValStep>
<propValEnum xmlns:soap-enc="http://schemas.xmlsoap.org/soap/encoding/" xmlns:itt="http://www.w3.org/2001/XMLSchema" soap-enc:arrayType="itt:string[2]">
<item>Manual reception</item>
<item>Auto reception</item>
</propValEnum>
</item>
・
・
・
・
</returnValue>
</dc:getDevicePropertyRangeResponse>
</s:Body>
</s:Envelope>
そして、ワークステーション装置ＷＳ１〜ＷＳｎは、画面設定や入力制限の設定を行うと、レスポンスデータ（画面）の作成を行って、ネットワークファクシミリ装置ＦＸに送信して、当該設定内容に応じた設定を行い、また、画面の表示を行う（ステップＳ１１０）。
【００７０】
ステップＳ１０８で、レンジ情報がないときには、ワークステーション装置ＷＳ１〜ＷＳｎは、画面設定に応じて、レスポンスデータ（画面）の作成を行い、ネットワークファクシミリ装置ＦＸに送信して、当該設定内容に応じた設定を行い、また、画面の表示を行う（ステップＳ１１０）。
【００７１】
そして、ワークステーション装置ＷＳ１〜ＷＳｎは、画面を生成すると、値を設定する場合には、画面内の「Apply」ボタンを押下する。このとき、値の取りうる条件をクライアントソフト内で事前にチェックする。例えば、第一印字名称「FAX_TTI_1」は、日本仕様では、「半角カナ、半角英数記号」の入力文字しか許可されないので、それらの範囲内かどうかをチェックしてネットワークファクシミリ装置ＦＸに送信する。
【００７２】
ところが、ネットワークファクシミリ装置ＦＸ側でも同様のチェックを行い、設定範囲内に入っているかどうかを確認してから登録動作を行う。
【００７３】
この場合、ネットワークファクシミリ装置ＦＸは、設定範囲内でなく、エラーの場合には、エラーをクライアント側に返し、ワークステーション装置ＷＳ１〜ＷＳｎ側でエラーメッセージを表示する。
【００７４】
上述のように、設定値を事前にチェックしてエラーを出すか、ネットワークファクシミリ装置ＦＸに対して登録したときにエラーを返すかの違いだけであるが、両方でチェックを行っている動作をワークステーション装置ＷＳ１〜ＷＳｎ側では、デバイスレベルで処理を行い、ネットワークファクシミリ装置ＦＸでのチェック処理を省略してもよい。
【００７５】
なお、上記説明では、ＸＭＬファイル形式のデータを用いている場合について説明したが、ＨＴＭＬを用いてユーザインターフェースを構築することもでき、この場合、クライアントのユーザインターフェースは、ＨＴＭＬを用いるものに限るものではない。
【００７６】
ＨＴＭＬを用いる場合、例えば、上記設定項目「FAX_TTI_1」の場合、以下に示すように、ＸＭＬデータから項目「FAX_TTI_1」の最大桁数が、32桁と分かるので、「maxLength」に「32」をセットして、ユーザインターフェースを構築できる。
【００７７】
ＨＴＭＬデータの例：
<td nowrap>
<input type="text" name="FAX_TTI_1" value="" size="35" height="" maxLength="32">
</td>
また、「FAX_USER_RXMODE_KEY」の場合は、以下に示すように、選択候補値として「Auto reception」と「Manual reception」が取りうるので、コンボボックスの選択候補として、optionにセットすることができる。
【００７８】
ＨＴＭＬデータの例：
<select size="1" name="FAX_USER_RXMODE_KEY">
<option value="Mode_Auto">Auto reception</option>
<option value="Mode_Manual">Manual reception</option>
</select>
このように、本実施例のネットワークファクシミリ装置ＦＸは、クライアント装置であるワークステーション装置ＷＳ１〜ＷＳｎからのＳＯＡＰを用いたＸＭＬデータで、各種設定項目の設定内容の設定されるに際して、ワークステーション装置ＷＳ１〜ＷＳｎから設定項目の取得要求があると、当該設定項目取得要求に応じて設定項目の設定情報を当該ワークステーション装置ＷＳ１〜ＷＳｎに返送するとともに、当該設定情報として、当該設定項目が設定変更許可されているか否かの設定変更可否情報をも返送している。
【００７９】
したがって、ワークステーション装置ＷＳ１〜ＷＳｎで予め設定項目が設定可能であるか等の情報を取得して設定項目の設定操作ができるようにすることができ、利用性を向上させることができる。
【００８０】
また、本実施例のネットワークファクシミリ装置ＦＸは、ワークステーション装置ＷＳ１〜ＷＳｎへの設定変更可否情報の返送を、設定項目の取得要求のあったとき、または、設定項目のプロパティ情報の取得要求のあったときに行っている。
【００８１】
したがって、予め設定項目の情報を取得することができるようにして、ワークステーション装置ＷＳ１〜ＷＳｎで設定項目毎の細かい制御ができるようにすることができ、より一層利用性を向上させることができる。
【００８２】
さらに、本実施例のネットワークファクシミリ装置ＦＸは、設定情報として、アクセス権限に対応した設定範囲、全ての項目に対する変更可否、項目毎の設定変更可否及び設定範囲、設定変更条件等のユーザインターフェイスの構築に必要な情報をワークステーション装置ＷＳ１〜ＷＳｎに通知している。
【００８３】
したがって、ワークステーション装置ＷＳ１〜ＷＳｎで、閲覧できるが設定できない等の設定項目毎の細かい制御を設定値の入力用のユーザインターフェースに予め反映させることができ、より一層利用性を向上させることができる。
【００８４】
また、本実施例のネットワークファクシミリ装置ＦＸは、ワークステーション装置ＷＳ１〜ＷＳｎからの設定項目の設定を指定するＸＭＬデータの各設定項目毎の設定内容が、当該設定項目の予め許容されている設定許容範囲を超えていると、当該設定項目への設定処理を中止し、設定エラーである旨を通知出力している。
【００８５】
したがって、設定項目の設定をより一層適切に行うことができ、また、設定許容範囲のチェックをネットワークファクシミリ装置ＦＸでのみ行うようにすると、処理を効率的に行うことができる。
【００８６】
さらに、本実施例のワークステーション装置ＷＳ１〜ＷＳｎは、ネットワークファクシミリ装置ＦＸに対して、ＳＯＡＰを用いたＸＭＬデータで、当該ネットワークファクシミリ装置ＦＸの各種設定項目の設定内容を設定するに際して、ネットワークファクシミリ装置ＦＸに対して設定項目の取得要求を行って、当該設定項目取得要求に応じて当該ネットワークファクシミリ装置ＦＸから設定項目の設定情報が返送されてくると、当該設定項目の設定情報に基づいて、設定画面を作成表示して当該設定画面での設定操作に応じた設定要求をネットワークファクシミリ装置ＦＸに送信するとともに、設定項目の設定変更許可の有無を示す設定変更可否情報に設定変更不可となっている設定項目に対しては、設定画面への当該設定項目の表示を非表示とし、また、当該設定項目の設定情報に設定許容範囲が規定されていると、設定画面での設定可能範囲を当該設定許容範囲に規制している。
【００８７】
したがって、予め設定項目が設定可能であるか等の設定項目の細かい設定操作ができるようにすることができ、設定可能範囲（設定許容範囲）内での設定操作を設定画面で規制して、処理を効率化するとともに、利用性を向上させることができる。
【００８８】
また、本実施例のワークステーション装置ＷＳ１〜ＷＳｎは、設定画面での設定内容が、設定許容範囲を超えていると、当該設定項目への設定処理を中止し、設定エラーである旨を設定画面に出力している。したがって、設定項目の設定をより一層適切にかつ効率的に行うことができる。
【００８９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９０】
クライアント装置側からネットワーク通信装置の各種設定を行う場合に、クライアント装置側で設定できる設定項目と閲覧のみできる設定項目の双方の情報を、予めネットワーク通信装置からクライアント装置に通知して、効率的にかつ適切な設定を行うネットワーク通信装置及びクライアント装置に適用することができる。
【図面の簡単な説明】
【００９１】
【図１】本発明のネットワーク通信装置及びクライアント装置の一実施例を適用したネットワークファクシミリ装置及びワークステーション装置の適用されるネットワークシステムのシステムブロック構成図。
【図２】図１のネットワークファクシミリ装置のブロック構成図。
【図３】図１のネットワークファクシミリ装置とワークステーション装置との間の機器設定シーケンスを示す図。
【図４】図３のネットワークファクシミリ装置とワークステーション装置との間の機器設定処理を示すフローチャート。
【図５】図４のステップＳ１０５の設定項目表示画面の一例を示す図。
【図６】図４のステップＳ１０６の設定不可項目表示画面の一例を示す図。
【図７】図４のステップＳ１０７の設定項目非表示画面の一例を示す図。
【符号の説明】
【００９２】
１  ネットワークシステム
ＮＷ  ネットワーク
ＷＳ１〜ＷＳｎ  ワークステーション装置
ＳＭ  メールサーバ装置
ＦＸ  ネットワークファクシミリ装置
ＲＴ  ルータ装置
１１  システム制御部
１２  システムメモリ
１３  パラメータメモリ
１４  時計回路
１５  スキャナ
１６  プロッタ
１７  網制御部
１８  Ｇ３ＦＡＸモデム
１９  ＬＡＮ伝送制御部
２０  ＬＡＮＩ／Ｆ
２１  画像蓄積部
２２  符号化・復号化部
２３  操作表示部
２４  バス
【図１】
2005229403.tif 000003
【図２】
2005229403.tif 000004
【図３】
2005229403.tif 000005
【図４】
2005229403.tif 000006
【図５】
2005229403.tif 000007
【図６】
2005229403.tif 000008
【図７】
2005229403.tif 000009